(57)【要約】【課題】セキュリティ情報を表示する表示画面の視野角を狭い範囲に限定してセキュリティを保つ表示を行う。【解決手段】表示部２０は、正面方向に視野角を有する第１画像と、背面方向に視野角を有する第２画像を同時に表示可能としたデュアルビュー液晶パネルを備えている。そしてセキュリティを確保すべき情報を第２画像に表示させる。表示装置１０の正面に立つ利用者Ｐは視線Ｖ１で反射部３０を視認する。このときに表示部２０で表示された第２画像を反射部３０で視認することができる。これに対して、利用者Ｐの近傍に立つ他人Ｑが、その視線Ｖ２で反射部３０を視認したときに、反射部３０に対する視線Ｖ２の角度（入射角）が大きくなっているため、他人Ｑは表示部２０に表示された第２画像を視認することができない。【選択図】図４
2008015257.tif 000002
【特許請求の範囲】
【請求項１】
第１視野角内の位置で視認することができる第１画像と、第２視野角内の位置で視認することができる第２画像とを同時に表示可能とした表示部を備えた表示装置において、
該表示装置は、前記第２画像を反射するための反射部材を有し、
予め定めた特定情報を前記第２画像によって表示し、該反射部材は、前記第２画像を視認することができる第３視野角を与えることを特徴とする表示装置。
【請求項２】
請求項１に記載の表示装置において、前記第３視野角は、前記第１視野角の範囲より狭い視野角であって、該第３視野角内の位置において、前記表示装置で表示される第１画像と、前記反射部材で反射した第２画像との両方を視認できるように構成されていることを特徴とする表示装置。
【請求項３】
請求項１に記載の表示装置において、前記特定情報は、セキュリティに関わる情報であることを特徴とする表示装置。
【請求項４】
請求項３に記載の表示装置において、前記特定情報は、該表示装置もしくは該表示装置が備えられる機器の基本設定に関する情報であることを特徴とする表示装置。
【請求項５】
請求項３に記載の表示装置において、前記特定情報は、個人情報に関する情報であることを特徴とする表示装置。
【請求項６】
請求項３に記載の表示装置において、前記特定情報は、送信対象のデータの送信先に関する情報であることを特徴とする表示装置。
【請求項７】
請求項１ないし６のいずれか１に記載の表示装置において、前記反射部材は、前記表示部に対する角度調整が可能であることを特徴とする表示装置。
【請求項８】
請求項１ないし７のいずれか１に記載の表示装置において、前記表示部は、前記第１画像の表示領域の大きさよりも、前記第２画像の表示領域の大きさを小さくして表示を行うことを特徴とする表示装置。
【請求項９】
請求項１ないし８のいずれか１に記載の表示装置を有し、該記表示装置に対する所定の操作入力が可能であることを特徴とする電子機器。
【発明の詳細な説明】
【技術分野】
【０００１】
本発明は、表示装置、及び該表示装置を備えた電子機器に関し、より詳細には、デュアルビュー表示が可能な表示部を備えた表示装置に関する。
【背景技術】
【０００２】
画像表示の技術分野においては、特許文献１や特許文献２に開示されているデュアルビュー方式の液晶ディスプレイが知られている。
図１３は、上記デュアルビュー方式の液晶ディスプレイを説明するための図で、図１３（Ａ）はデュアルビュー方式の液晶ディスプレイ（以下デュアルビュー液晶パネルとする）の正面概略図、図１３（Ｂ）はデュアルビュー液晶パネルの上面概略図、図１３（Ｃ）はデュアルビュー液晶パネルの視野角を説明するための図である。
デュアルビュー液晶パネル２１０は、バックライト２２０により背面から照明され、入力する画像信号に従って画像を表示する。
【０００３】
デュアルビュー方式とは、図１３に示すように、デュアルビュー液晶パネル２１０の表示画面から第１方向（Ｄ１）に向けて第１画像を表示すると同時に、表示画面から第１方向（Ｄ１）とは異なる第２方向（Ｄ２）に向けて第２画像を表示するものである。そして第１画像と第２画像には、それぞれ異なる画像を表示することができる。
【０００４】
デュアルビュー液晶パネル２１０では、図１３（Ｃ）に示すように、第１方向Ｄ１に向けて表示される第１画像の視野角ａと、第２方向に向けて表示される第２画像の視野角ｂとが異なっている。従って第１画像を視認可能な視覚位置２３０においては第２画像を視認できず、第２画像を視認可能な視覚位置２４０においては第１画像を視認できない。これにより、視野角ａ内に位する利用者と、視野角ｂ内に位置する利用者に対して、それぞれ異なる表示画像を提供することができる。
【０００５】
例えば、デュアルビュー液晶パネルを自動車のコンソールの中央に配置し、運転手側にはカーナビや自動車の状態を表示し、助手席側には映画やテレビなどを表示させることにより、見る方向が異なる利用者に対して、それぞれ適切な情報を提供することができる。
【特許文献１】特開２００５−２８４５９２号公報
【特許文献２】特開２００５−０７８０７６号公報
【発明の開示】
【発明が解決しようとする課題】
【０００６】
上記特許文献１，特許文献２などに記載されたデュアルビュー液晶パネルは、上述のように、視覚位置が異なる利用者がそれぞれ異なる画面を視認できるようにしたものであるが、各画面の視野角を考慮して、特定の画面において視認できる範囲を制限する、という適用例は考えられていなかった。
【０００７】
例えば、液晶パネルディスプレイを利用した電子機器として、プリンタ、スキャナ、複写機、ＦＡＸ、メールなどの機能を併せ持つ複合機（ＭＦＰ）がある。
このような複合機においては、その機能を使用するときに、氏名や名称、あるいはＦＡＸ番号、あるいはメールアドレスのような特定の個人や会社，団体等を識別できる情報を画面表示する場合がある。
【０００８】
例えば、外部機器から送信された画像情報を、プリンタ機能を使用して印刷する場合や、プリンタ処理のログ情報を表示させる場合がある。ログ情報には、ＩＤやパスワードなどのアカウントやユーザ名などが設定されているのが普通である。
またファックス機能によって画像情報等を外部のファックスに送信したり、メール機能を使用して画像情報等を外部機器に送信する場合、アドレス帳を画面表示させて相手先を指定する操作が行われる。アドレス帳は、当然に個人情報や会社等を特定できる情報が含まれる。
【０００９】
このような個人や会社を特定できる情報は、通常セキュリティに関わる情報、すなわちセキュリティを確保すべき情報として扱われ、意図しない情報流出がないように管理される。以下このような情報をセキュリティ情報とする。
またこの他、複合機の基本設定に関する情報もセキュリティ情報として扱われる場合がある。例えば、複合機の基本設定において、管理者等の特定の権限を有する人のみが設定可能な情報などは、容易に他者に流出すべきではない情報である。例えばネットワーク設定ではＩＰアドレスが設定されるため、このネットワーク設定情報はセキュリティ情報に該当する。
【００１０】
しかしながら、表示画面に個人情報等のセキュリティ情報を表示しているときに、複合機の近傍にいる他の人が表示画面を覗き見ることによって、セキュリティ情報が漏洩する危険性が発生する。通常の表示画面は、側方から覗き見ることができる程度の視野角を有しているため、セキュリティ情報の表示時には、その情報漏洩の危険性がつきまとう。
【００１１】
本発明は、上述のごとき実情に鑑みてなされたもので、異なる方向に視野角を有するデュアルビュー液晶ディスプレイを使用して、セキュリティ情報を反射部材で表示させることにより、セキュリティ情報を表示する表示画面の視野角を狭い範囲に限定してセキュリティを保つ表示を行うことができるようにした表示装置、及び該表示装置を有する電子機器を提供することを目的とするものである。
【課題を解決するための手段】
【００１２】
上記課題を解決するために、本発明の第１の技術手段は、第１視野角内の位置で視認することができる第１画像と、第２視野角内の位置で視認することができる第２画像とを同時に表示可能とした表示部を備えた表示装置において、表示装置は、第２画像を反射するための反射部材を有し、予め定めた特定情報を第２画像によって表示し、反射部材は、第２画像を視認することができる第３視野角を与えることを特徴としたものである。
【００１３】
第２の技術手段は、第１の技術手段において、第３視野角が、第１視野角の範囲より狭い視野角であって、第３視野角内の位置において、表示装置で表示される第１画像と、反射部材で反射した第２画像との両方を視認できるように構成されていることを特徴としたものである。
【００１４】
第３の技術手段は、第１の技術手段において、上記の特定情報が、セキュリティに関わる情報であることを特徴としたものである。
【００１５】
第４の技術手段は、第３の技術手段において、上記の特定情報が、表示装置もしくは表示装置が備えられる機器の基本設定に関する情報であることを特徴としたものである。
【００１６】
第５の技術手段は、第３の技術手段において、上記の特定情報が、個人情報に関する情報であることを特徴としたものである。
【００１７】
第６の技術手段は、第３の技術手段において、上記の特定情報が、送信対象のデータの送信先に関する情報であることを特徴としたものである。
【００１８】
第７の技術手段は、第１ないし第６のいずれか１の技術手段において、反射部材が、表示部に対する角度調整が可能であることを特徴としたものである。
【００１９】
第８の技術手段は、第１ないし第７のいずれか１の技術手段において、表示部が、第１画像の表示領域の大きさよりも、第２画像の表示領域の大きさを小さくして表示を行うことを特徴としたものである。
【００２０】
第９の技術手段は、第１ないし第８のいずれか１の技術手段を有し、記表示装置に対する所定の操作入力が可能であることを特徴としたものである。
【発明の効果】
【００２１】
本発明によれば、異なる方向に視野角を有するデュアルビュー液晶ディスプレイを使用して、セキュリティ情報を反射部材で表示させることにより、セキュリティ情報を表示する表示画面の視野角を狭い範囲に限定して、セキュリティを保った表示を行うことができるようになる。
【００２２】
すなわち本発明によれば、利用者が表示画面を用いて操作等を行う場合、その利用者の近傍にいる他人が反射部材を覗き見したとしても、反射部材によって表示画面を視認できる範囲が非常に狭いため、表示画面に表示されたセキュリティ情報を見ることが困難になる。これにより表示画面に表示するセキュリティ情報の漏洩を防ぐことができる。
【発明を実施するための最良の形態】
【００２３】
図１は、本発明による表示装置の一実施形態を説明するための図で、図中、１０は表示装置、２０は表示部、２１はデュアルビュー液晶パネル、２２は第１タッチパネル、３０は反射部、３１は反射部材、３２は第２タッチパネル、４０はヒンジ部である。
表示装置１０は、表示部２０と反射部３０とを有し、表示部２０は、デュアルビュー液晶パネル２１及び第１タッチパネル２２を含み、反射部３０は、反射部材３１及び第２タッチパネル３２を含んでいる。
【００２４】
デュアルビュー液晶パネル２１は、上述のように第１視野角内の位置で視認することができる第１画像と、第２視野角内の位置で視認できる第２画像とを同時に表示できるものである。
図１の例では、表示部２０の前方Ｄ１に第１視野角が設定され、表示部２０の後方Ｄ２に第２視野角が設定されている。つまり表示部２０の第１視野角内に位置するユーザは、デュアルビュー液晶パネル２１に表示される第１画像を視認することができる。
【００２５】
反射部３０にはヒンジ部４０が設けられ、ヒンジ部４０を回動軸として、反射部３０が回動自在となるように構成されている。ヒンジ部４０によって、表示部２０に対する反射部３０の角度を可変設定することができる。また反射部材３１には、ミラーなどによる反射面が設けられている。
【００２６】
ヒンジ部４０は、表示部２０と反射部３０とを接続するように設けてもよく、また表示部２０から離間した位置に配置してもよい。反射部３０は、表示部２０の第２画像を反射して、所望の方向Ｄ３に視野角（第３視野角とする）を与えることができればよい。第３視野角の方向は、反射部３０の角度に応じて変化する。
また本発明では、ヒンジ機構を持ったヒンジ部４０に限らず、反射部３０の角度を可変設定できる構成であれば適宜採用することができる。あるいは、利用者の視線条件が限定された範囲であれば、ヒンジ部４０を設けることなく、所定の角度で反射部３０を固定した構成であってもよい。
【００２７】
またデュアルビュー液晶パネル２１の表示面側と、反射部材３１の反射面側には、それぞれ第１及び第２タッチパネル２２，３２が設けられ、各タッチパネル２２，３２による入力操作を可能とする。
【００２８】
図２は、図１に示す表示装置による画像表示の機構を模式的に示す図である。
反射部材３１は、デュアルビュー液晶パネル２１に表示される第２画像を反射する。例えば図２のように、表示部２０と反射部３０とが互いにほぼ垂直になっている場合、方向Ｄ１に視野角を有する第１画像と、反射部材３１で反射して方向Ｄ３に視野角を有する第２画像とが、視覚位置αから視認することができるようになる。このとき反射部材３１で反射した第２画像は、デュアルビュー液晶パネル２１で表示された画像が反転した画像（鏡像）となる。
【００２９】
従って、デュアルビュー液晶パネル２１に表示させる第２画像には、利用者に視認させる画像を反転した鏡像を予め生成して表示させる。これにより、第２画像は、反射部材３１で反転し、所望の画像となって利用者に視認できるようになる。
【００３０】
表示部２０と反射部３０を視認する利用者は、表示部２０に備えられた第１タッチパネル２２、及び反射部３０に備えられた第２タッチパネル３２を操作することによって、所望の入力を行うことができる。この場合、表示部２０に表示された第１画像に従って、第１タッチパネル２２を操作し、反射部３０で反射した第２画像に従って、第２タッチパネル３２を操作することができる。
【００３１】
なおタッチパネル２２，３２は、表示部２０及び反射部３０における必須の要素ではなく、タッチパネル２２，３２を使用しない構成であってもよい。この場合、テンキー等のハードキー群や他のポインティングデバイス等によって入力操作が可能となるように構成する。
【００３２】
図３は、本発明に適用可能なデュアルビュー液晶パネルの表示原理を説明するための図である。
デュアルビュー液晶パネル２１は、複数の画素ｍ、ｎを有する液晶パネル２１ａと、液晶パネル２１ａの全面に配置されたパララックスバリア（光学系分離素子）２１ｂとを備えている。パララックスバリア２１ｂは、不透明領域によって隔たれた垂直な透光性スリットを複数有するスクリーンである。
【００３３】
液晶パネル２１ａの画素ｍを通過した光は、パララックスバリア２１ｂが有する透光性スリットを介して、液晶パネル２１ａの表示面に対して所定の視野角に位置する視聴者Ｍに到達する。
また、液晶パネル２１ａの画素ｎを透過した光は、パララックスバリア２１ｂが有する透光性スリットを介して、液晶パネル２１ａの表示面に対し所定の視野角に位置する視聴者Ｎに到達する。
【００３４】
液晶パネル２１ａに表示される画像は、パララックスバリア２１ｂの複数の透光性スリットによって空間上の規定された領域からしか見えないようにしたものである。これにより、視聴者Ｍ及び視聴者Ｎは、各々、異なる画像を見ることが可能となる。
【００３５】
デュアルビュー表示を行なわせる場合には、たとえば、液晶パネル２１ａの隣り合う画素を視聴者Ｍ用の画像データ、または視聴者Ｎ用の画像データに応じて駆動させればよい。言い換えれば、液晶パネル２１ａの隣り合う画素は、互いに異なる方向用の画像データに応じて駆動されることになる。なお、画素は１個おきに互いに異なる画像データに応じて駆動されるようにしてもよいし、２個おき、あるいは３個おき等のように複数個おきに駆動させるようにしてもよく、いずれにしてもパララックスバリア２１ｂの透光性スリットの幅に応じて設定すればよい。
【００３６】
図４は、デュアルビュー液晶パネルと反射部材とによる視野を説明するための図である。
通常、利用者は、反射部３０で反射した第２画像を視認することができるが、表示部２０に表示した第２画像を反射部３０により視認する場合、その視認可能な領域（反射部３０による第３視野角）は、狭い範囲に限定される。
【００３７】
すなわち図４に示すように、例えば表示装置１０の正面に立つ利用者Ｐは、表示部２０に表示した第１画像と、反射部３０で反射した第２画像とを視認することができる。この場合、反射部３０に対する利用者Ｐの視線Ｖ１の角度（入射角）が０に近いため、視線Ｖ１によって表示部２０で表示された第２画像を視認することができる。
【００３８】
これに対して、利用者Ｐの近傍に立つ他人Ｑが、その視線Ｖ２で反射部３０を視認したときに、反射部３０に対する視線Ｖ２の角度（入射角）が大きくなっているため、他人Ｑは表示部２０に表示された第２画像を視認することができない。すなわち、反射部３０を用いた構成により、反射部３０によって得られる第２画像の視野角が非常に狭い範囲となる。勿論ここでは、表示部２０による第１画像の視野角よりも反射部３０による第２画像の視野角の方が小さい。
【００３９】
このように、反射部３０で反射した第２画像は、表示部２０を正面から視認する利用者に対して、その利用者の側方からの覗き見は難しくなる。本発明の実施形態では、このようなデュアルビュー液晶パネル２１を用いた表示部２０と、反射部３０とによる構成を利用して、反射部３０で反射させる第２画像にセキュリティ情報を表示させる。これによりセキュリティ情報の他人への漏洩を効果的に防ぐことができるようになる。
【００４０】
セキュリティ情報は、上述のようにセキュリティを確保すべき特定情報であり、例えば、ネットワーク設定などの特定権限の管理者等によって設定可能な、装置の基本設定に関する情報であり、あるいは個人情報、あるいはアドレス帳情報などに含まれる送信相手先を特定できる情報などが含まれる。
個人情報には、例えば個人の氏名、生年月日、年齢、性別、住所、電話番号、家族構成、趣味、嗜好、電子メールアドレス、勤務先、所属、勤務先住所、勤務先電話番号、クレジットカード番号、銀行口座番号、あるいは個人に付与された各種番号や文字列等を含むことができる。また他の情報と容易に照合することができ、 それにより特定の個人を識別することができる情報を含むことができる。
【００４１】
なおこの場合に、表示部２０は、第１画像の表示領域の大きさよりも、第２画像の表示領域の大きさを小さくして表示を行うようにしてもよい。第２画像の表示領域を小さくすることにより、他人Ｑよる第２画像の視認がより困難になる。
【００４２】
図５は、本発明による表示装置を備えた電子機器の一実施形態を示す図で、本発明に関わる電子機器として、プリンタ、スキャナ、複写機、ＦＡＸ等の機能を有する複合機を適用した例を示すものである。
複合機１００は、ＣＣＤ等により原稿の画像を読み取って画像信号を出力する画像読取装置（スキャナ）２００と、画像読取装置２００から送信される画像信号または外部から送信される画像信号に基づいて、用紙上に画像を印刷する電子写真方式のプリンタ３００と、プリンタ３００に順次用紙を供給する給紙デスク装置４００とを備えている。
【００４３】
また画像読取装置２００における原稿台２０１の側部には、操作パネル５００が備えられている。操作パネル５００には、上述したごとくの表示装置１０が備えられる。この他、操作パネル５００には、例えばスタートキー、テンキー、クリアキー、全解除キー、動作モードキー群などによるハードキー群７０が設けられる。これらハードキー群７０と、表示装置１０に設けられているタッチパネルとを用いて、ユーザによる所定の入力操作が可能となっている。
【００４４】
表示装置１０は、図１，図２に示すような構成で、表示部２０と反射部３０とを備えている。図５の例では、操作パネル５００に対して表示部２０が設けられ、原稿台２０１を構成する本体フレームに、反射部３０が設けられる。反射部３０は、ヒンジ部によって上記本体フレームに取り付けられ、その角度を可変設定することができる。
【００４５】
反射部３０は、デュアルビュー液晶パネル２１で表示される第２画像を反射して、第３視野角内に位置する利用者に対して、第２画像を視認させることができる。この場合、複合機１００の利用者が第１画像と第２画像とを両方視認できるように、図２に示すように第１視野角と第３視野角が同一方向を向いていることが好ましい。
【００４６】
図６は、図５の複合機に対して反射部の取付位置を変更した例を示す図である。本例では、表示装置１０の表示部２０は、図５の例と同様に操作パネル５００に設けられるが、反射部３０は、原稿セットトレイ２０２が設けられている画像読取装置２００の開閉可能なフレーム部に設けられている。
【００４７】
図７は、第１画像と第２画像の表示例を示す図で、図７（Ａ）は表示部における第２画像の表示例を示す図、図７（Ｂ）は表示部における第１画像の表示例を示す図である。
また図８は、図７に示す表示画像を利用者が視認するときの表示例を示す図で、図８（Ａ）は、反射部３０を介して視認できる第２画像を示す図、図８（Ｂ）は、表示部２０を直接見ることで視認できる第１画像を示す図である。
【００４８】
表示部２０のデュアルビュー液晶パネルでは、図７（Ｂ）に示すような第１画像と、図７（Ａ）に示すような第２画像とを同時に表示させることができる。
図７では、複合機のコピーモードにおけるジョブリストの表示例を示している。ジョブリストは、例えばコピーモードの入力待機画像に設定されているジョブステータス表示キーを押すことにより表示される画面である。
【００４９】
そしてこのときに第２画像において、上記のようなセキュリティ性の高い特定情報（セキュリティ情報）を表示させる。ここでは、図７（Ｂ）の第１画像には、ジョブの種類（印刷ジョブ、Ｅ−ＭＡＩＬジョブ、ＦＡＸジョブ、及びインターネットＦＡＸジョブ）を選択する画面を表示し、第１画像で印刷ジョブを選択したときのジョブリストを第２画像に表示している。ジョブリストは、ユーザ名等のセキュリティ情報を含むため、第２画像に表示させる。
【００５０】
そして図７（Ａ）の第２画像は、利用者に視認させたい画像を予め反転させて、鏡像の画像として表示させる。これにより図８に示すように、反射部３０を介して視認される第２画像は、表示部２０で表示された鏡像が反転した画像となっている。
【００５１】
上記のような構成により、セキュリティ情報を第２画像に表示させることで、セキュリティ情報の秘密性を維持することができるが、さらにこの構成によってジョブリストの表示領域を広くすることができる。
つまり従来通常の画面では、図７（Ｂ）のジョブ選択画面と、図７（Ａ）のジョブリスト表示画面とは、同一の画面に表示されていたが、本実施例によって第２画像にジョブリストを表示させることにより、第２画像として表示させるジョブリストの表示面積を相対的に大きくすることができ、一度に視認できるジョブリストの情報量を増大させることができるようになる。
【００５２】
図９は、第１画像と第２画像の他の表示例を示す図で、図９（Ａ）は、反射部３０を介して視認できる第２画像を示す図、図９（Ｂ）は、表示部２０を直接見ることで視認できる第１画像を示す図である。
ここでは、図７（Ｂ）のジョブ選択画面においてＥ−ｍａｉｌジョブを選択した状態を第１画像（図９（Ｂ））に表示し、このときのジョブリストを第２画像（図９（Ａ））に表示する。この場合にも、ジョブリストには送信先情報によるセキュリティ情報を含むため、ジョブリストを第２画像に表示させる。
【００５３】
図１０は、第１画像と第２画像の更に他の表示例を示す図で、図１０（Ａ）は、反射部３０を介して視認できる第２画像を示す図、図１０（Ｂ）は、表示部２０を直接見ることで視認できる第１画像を示す図である。
図１０の例は、複合機のスキャナモードにおいて取り込んだ画像を送信するときの設定画面を示している。ここでは送信先のアドレス帳画面を第２画像（図１０（Ａ））に表示し、アドレス帳のインデックス画面を第１画像（図１０（Ｂ））に表示している。アドレス帳画面は、送信先の会社名や個人名、役職名等によるセキュリティ情報を含むため、第２画像に表示させる。
【００５４】
図１１は、第１画像と第２画像の更に他の表示例を示す図で、図１１（Ａ）は、反射部３０を介して視認できる第２画像を示す図、図１１（Ｂ）は、表示部２０を直接見ることで視認できる第１画像を示す図である。
図１１の例は、複合機が保持するアドレス帳データの設定画面を示している。ここではアドレス帳の設定用画面を第２画像（図１１（Ａ））に表示し、設定入力用のアルファベットキー画面を第１画像（図１１（Ｂ））に表示している。アドレス帳の設定用画面は、相手先名やアドレス等のセキュリティ情報を含むため、第２画像に表示させる。
【００５５】
図１２は、本発明による表示装置の内部構成を説明するためのブロック図である。表示装置１０は、デュアルビュー液晶パネル２１、デュアルビュー液晶パネル２１に設けられた第１タッチパネル２２、ミラー等の反射部材３１、反射部材３１に設けられた第２タッチパネル３２、表示制御部５０，タッチ位置検出回路６０，及びテンキー等のハードキー群７０を含む。
【００５６】
タッチ位置検出回路６０は、第１タッチパネル２２の表面電荷の変化を検出することによって、第１タッチパネル２２上の利用者のタッチ位置を示す座標値を算出し、算出した座標値を表示制御部５０に入力する。
またタッチ位置検出回路６０は、第２タッチパネル３２の表面電荷の変化を検出することによって、第２タッチパネル３２上の利用者のタッチ位置を示す座標値を算出し、算出した座標値を表示制御部５０に入力する。
【００５７】
表示制御部５０は、デュアルビュー液晶パネル２１の表示動作を制御するコンピュータであり、ＣＰＵ、ＲＡＭ、ＲＯＭ等から構成される。特に表示制御部５０は、タッチ位置検出回路６０から入力される座標値に基づいて各タッチパネルに対するタッチ位置を検知し、検知したタッチ位置に応じて、デュアルビュー液晶パネル２１に表示する第１画像の内容や第２画像の内容を切り換えや、表示領域の制御を行っている。またハードキー群７０からの入力操作に応じて、表示条件設定や表示制御を行う。
【００５８】
以上本発明に関わる実施形態を説明したが、本発明では、上記のように単一の反射部材３１を用いる構成に限定されるものではなく、複数の反射部材を用いて構成してもよい。例えば、表示部２０に表示されている第２画像を反射する第１反射部と、第１反射部で反射した第２画像をさらに所望の視覚位置に向けて反射する第２反射部とを使用してもよい。この場合、第２画像は２回反射して視認されるため、上記の例のような鏡像ではなく、通常の画像を表示すればよい。
【００５９】
本発明に関わる表示装置は、上記の複合機のみならず各種の産業用電子機器や民生用電子機器に適用可能である。例えば、ＡＴＭや各種自動販売機等の電子機器にも適用することができる。
さらに、本発明に関わる表示装置は、タッチパネルを用いることなく、他の入力操作デバイスやキー等によって操作入力を行わせる電子機器に対しても適用することができる。例えば、表示画面を有する冷蔵庫や洗濯機等の機器であれば適用可能であり、本発明に関わる表示装置によって、セキュリティを確保すべき情報を他人から視認できないように表示させることができる。
【図面の簡単な説明】
【００６０】
【図１】本発明による表示装置の一実施形態を説明するための図である。
【図２】図１に示す表示装置による画像表示の機構を模式的に示す図である。
【図３】本発明に適用可能なデュアルビュー液晶パネルの表示原理を説明するための図である。
【図４】デュアルビュー液晶パネルと反射部材とによる視野を説明するための図である。
【図５】本発明による表示装置を備えた電子機器の一実施形態を示す図である。
【図６】図５の複合機に対して反射部の取付位置を変更した例を示す図である。
【図７】第１画像と第２画像の表示例を示す図である。
【図８】図７に示す表示画像を利用者が視認するときの表示例を示す図である。
【図９】第１画像と第２画像の他の表示例を示す図である。
【図１０】第１画像と第２画像の更に他の表示例を示す図である。
【図１１】第１画像と第２画像の更に他の表示例を示す図である。
【図１２】本発明による表示装置の内部構成を説明するためのブロック図である。
【図１３】デュアルビュー方式の液晶ディスプレイを説明するための図である。
【符号の説明】
【００６１】
１０…表示装置、２０…表示部、２１，２１０…デュアルビュー液晶パネル、２１ａ…液晶パネル、２１ｂ…パララックスバリア、２２…第１タッチパネル、３０…反射部、３１…反射部材、３２…第２タッチパネル、４０…ヒンジ部、５０…表示制御部、６０…タッチ位置検出回路、７０…ハードキー群、１００…複合機、２００…画像読取装置、２０１…原稿台、２０２…原稿セットトレイ、２２０…バックライト、２３０…視覚位置、２４０…視覚位置、３００…プリンタ、４００…給紙デスク装置、５００…操作パネル。
【図１】
2008015257.tif 000003
【図２】
2008015257.tif 000004
【図３】
2008015257.tif 000005
【図４】
2008015257.tif 000006
【図５】
2008015257.tif 000007
【図６】
2008015257.tif 000008
【図７】
2008015257.tif 000009
【図８】
2008015257.tif 000010
【図９】
2008015257.tif 000011
【図１０】
2008015257.tif 000012
【図１１】
2008015257.tif 000013
【図１２】
2008015257.tif 000014
【図１３】
2008015257.tif 000015